(57)【要約】【課題】ボタンなどの第１の情報が表示されているときに、第１の情報を選択することにより第１の情報と関連付けられている第２の情報を表示させても、第１の情報が隠れて他のボタンなどの情報が隠れて見えなくなってしまうことを防止する。【解決手段】表示されているボタン４１〜４６の中から両面選択４１を選択すると、その右に両面選択４１の選択肢を羅列したポップアップ画像５１が表示される。このとき、他のボタン４２〜４６はポップアップ画像５１の出現前より小さく表示されて、ポップアップ画像５１と重ならないようになる。【選択図】図６
2010079412.tif 000002
【特許請求の範囲】
【請求項１】
画像を表示する表示手段と、
前記画像に対する選択を検出する検出手段と、
選択可能な第１の情報を前記表示手段に表示し、前記第１の情報の選択がなされた場合は当該選択された第１の情報と関連付けられている第２の情報を前記表示手段に表示し、かつ、前記第１の情報の表示内容が確認できるように前記第１の情報を表示するよう制御する表示制御手段と、
を備えている情報表示装置。
【請求項２】
前記表示制御手段は、前記第２の情報を前記画像表示領域に表示する場合は、前記第１の情報の表示の態様を変更することにより前記第１の情報の表示内容が確認できるように前記第１の情報を表示する、請求項１に記載の情報表示装置。
【請求項３】
前記表示制御手段は、前記第２の情報を前記画像表示領域に表示する場合は、選択がなされた前記第１の情報と関連付けられている他の第１の情報については前記表示の態様を維持する又は表示の態様を変更する前記第１の情報とは異なるように表示の態様を変更する、請求項２に記載の情報表示装置。
【請求項４】
前記第１の情報の選択がなされた後にいずれかの前記第１の情報の選択がなされたときは当該前後して選択された複数の前記第１の情報が何れの前記第１の情報であるかの履歴を記録する履歴記録手段をさらに備え、
前記表示制御手段は、前記第２の情報を前記表示手段に表示する場合は、前記履歴記録手段で記録された履歴に基づいて、選択がなされた前記第１の情報と関連付けられている他の第１の情報として前記表示の態様を維持する又は表示の態様を変更する前記第１の情報とは異なるように表示の態様を変更する、
請求項３に記載の情報表示装置。
【請求項５】
前記第１の情報に関連付けるものとして他の前記第１の情報の関連付けを設定する設定手段をさらに備え、
前記表示制御手段は、前記第２の情報を前記画像表示領域に表示する場合は、選択がなされた前記第１の情報と前記設定手段の設定において関連付けられている他の第１の情報については前記表示の態様を維持する又は表示の態様を変更する前記第１の情報とは異なるように表示の態様を変更する、
請求項３に記載の情報表示装置。
【請求項６】
予め定められた処理を行う処理手段と、
前記処理手段を制御して前記処理を実行する実行手段と、
前記処理を実行するための操作を受け付ける操作装置と、
前記操作のための画像を表示する表示手段と、
前記画像に対する選択を検出する検出手段と、
選択可能な第１の情報を前記表示手段に表示し、前記第１の情報の選択がなされた場合は当該選択された第１の情報と関連付けられている第２の情報を前記表示手段に表示し、かつ、前記第１の情報の表示内容が確認できるように前記第１の情報を表示するよう制御する表示制御手段と、
を備えている処理装置。
【請求項７】
画像を表示する表示手段と、
前記画像に対する選択を検出する検出手段と、
選択可能な第１の情報を前記表示手段に表示し、前記第１の情報の選択がなされた場合は当該選択された第１の情報と関連付けられている第２の情報を前記表示手段に表示し、かつ、前記第１の情報の表示内容が確認できるように前記第１の情報を表示するよう制御する表示制御手段と、
をコンピュータに実行させるコンピュータに読み取り可能な情報表示制御プログラム。
【発明の詳細な説明】
【技術分野】
【０００１】
本発明は、情報表示装置、処理装置及び情報表示制御プログラムに関する。
【背景技術】
【０００２】
複写機などのタッチパネルを用いた操作パネルにおいて一般的に用いられている動作としてポップアップ（プルダウンなども含まれる）が知られている。ポップアップにおいて、あるボタンを操作したときに、さらに当該ボタンに関連した詳細な情報や選択肢などを表示するために、ポップアップ画像が元の画面表示に被って表示される。
【０００３】
特許文献１には、携帯電話のアイコンを選択したときに当該選択されたアイコンは拡大表示し、他のアイコンは小さく表示して、この両者が重ならないようにした技術について開示されている。
【特許文献１】特開２００２‐２６１９１８号公報
【発明の開示】
【発明が解決しようとする課題】
【０００４】
本発明の目的は、画像表示領域に選択可能な第１の情報が表示されているときに、第１の情報を選択することにより第１の情報と関連付けられている第２の情報を表示させても、第１の情報の表示内容が確認できなくなってしまうことを防止することである。
【課題を解決するための手段】
【０００５】
請求項１に記載の発明は、画像を表示する表示手段と、前記画像に対する選択を検出する検出手段と、選択可能な第１の情報を前記表示手段に表示し、前記第１の情報の選択がなされた場合は当該選択された第１の情報と関連付けられている第２の情報を前記表示手段に表示し、かつ、前記第１の情報の表示内容が確認できるように前記第１の情報を表示するよう制御する表示制御手段と、を備えている情報表示装置である。
【０００６】
請求項２に記載の発明は、請求項１に記載の情報表示装置において、前記表示制御手段は、前記第２の情報を前記画像表示領域に表示する場合は、前記第１の情報の表示の態様を変更することにより前記第１の情報の表示内容が確認できるように前記第１の情報を表示する。
【０００７】
請求項３に記載の発明は、請求項２に記載の情報表示装置において、前記表示制御手段は、前記第２の情報を前記画像表示領域に表示する場合は、選択がなされた前記第１の情報と関連付けられている他の第１の情報については前記表示の態様を維持する又は表示の態様を変更する前記第１の情報とは異なるように表示の態様を変更する。
【０００８】
請求項４に記載の発明は、請求項３に記載の情報表示装置において、前記第１の情報の選択がなされた後にいずれかの前記第１の情報の選択がなされたときは当該前後して選択された複数の前記第１の情報が何れの前記第１の情報であるかの履歴を記録する履歴記録手段をさらに備え、前記表示制御手段は、前記第２の情報を前記表示手段に表示する場合は、前記履歴記録手段で記録された履歴に基づいて、選択がなされた前記第１の情報と関連付けられている他の第１の情報として前記表示の態様を維持する又は表示の態様を変更する前記第１の情報とは異なるように表示の態様を変更する。
【０００９】
請求項５に記載の発明は、請求項３に記載の情報表示装置において、前記第１の情報に関連付けるものとして他の前記第１の情報の関連付けを設定する設定手段をさらに備え、前記表示制御手段は、前記第２の情報を前記画像表示領域に表示する場合は、選択がなされた前記第１の情報と前記設定手段の設定において関連付けられている他の第１の情報については前記表示の態様を維持する又は表示の態様を変更する前記第１の情報とは異なるように表示の態様を変更する。
【００１０】
請求項６に記載の発明は、予め定められた処理を行う処理手段と、前記処理手段を制御して前記処理を実行する実行手段と、前記処理を実行するための操作を受け付ける操作装置と、前記操作のための画像を表示する表示手段と、前記画像に対する選択を検出する検出手段と、選択可能な第１の情報を前記表示手段に表示し、前記第１の情報の選択がなされた場合は当該選択された第１の情報と関連付けられている第２の情報を前記表示手段に表示し、かつ、前記第１の情報の表示内容が確認できるように前記第１の情報を表示するよう制御する表示制御手段と、を備えている処理装置である。
【００１１】
請求項７に記載の発明は、画像を表示する表示手段と、前記画像に対する選択を検出する検出手段と、選択可能な第１の情報を前記表示手段に表示し、前記第１の情報の選択がなされた場合は当該選択された第１の情報と関連付けられている第２の情報を前記表示手段に表示し、かつ、前記第１の情報の表示内容が確認できるように前記第１の情報を表示するよう制御する表示制御手段と、をコンピュータに実行させるコンピュータに読み取り可能な情報表示制御プログラムである。
【発明の効果】
【００１２】
請求項１に記載の発明によれば、第１の情報が表示されているときに、当該第１の情報を選択することにより当該情報に関連した第２の情報を表示させても、第１の情報の表示内容が確認できなくなることを防止することができる。
【００１３】
請求項２に記載の発明によれば、第１の情報が表示されているときに、当該第１の情報を選択することにより当該情報に関連した第２の情報を表示させても、第１の情報の表示の態様を変更することにより第１の情報が隠れて見えなくなってしまうことを防止することができる。
【００１４】
請求項３に記載の発明によれば、第１の情報が表示されているときに、当該第１の情報を選択することにより当該情報に関連した第２の情報を表示させても、表示の態様が変更されないほうがよい第１の情報については元の表示の態様を維持する又は表示の態様を変更する前記第１の情報とは異なるように表示の態様を変更することができる。
【００１５】
請求項４に記載の発明によれば、使用者が設定などを行わなくても、表示の態様が変更されないほうがよい第１の情報については元の表示の態様を維持する又は表示の態様を変更する前記第１の情報とは異なるように表示の態様を変更することができる。
【００１６】
請求項５に記載の発明によれば、使用者が設定を行ったとおりに、表示の態様が変更されないほうがよい第１の情報については元の表示の態様を維持する又は表示の態様を変更する前記第１の情報とは異なるように表示の態様を変更することができる。
【００１７】
請求項６に記載の発明によれば、第１の情報が表示されているときに、当該第１の情報を選択することにより当該情報に関連した第２の情報を表示させても、第１の情報が隠れて見えなくなってしまうことを防止することができる。
【００１８】
請求項７に記載の発明によれば、第１の情報が表示されているときに、当該第１の情報を選択することにより当該情報に関連した第２の情報を表示させても、第１の情報が隠れて見えなくなってしまうことを防止することができる。
【発明を実施するための最良の形態】
【００１９】
以下、本発明の実施の形態について複数例説明する。
【００２０】
図１は、画像処理装置の電気的な接続のブロック図である。
【００２１】
画像処理装置１は、本発明の処理装置を実施するもので、各部を集中的に制御するＣＰＵ１１と、ＣＰＵ１１が動作するための制御プログラム１２や固定データが記憶されたＲＯＭ１３と、ＣＰＵ１１の作業領域となるＲＡＭ１４とが接続されたシステム制御部１５とを備えている。
【００２２】
システム制御部１５には、原稿の画像を読み取る画像読取装置１６、画像データに基づいて用紙などの媒体上に画像形成する画像形成装置１７、各種データを記憶する磁気記憶装置１８、画像データを記憶する画像メモリ１９、ＬＡＮ２やインターネット４と通信を行う通信制御装置２０、公衆回線網５と通信を行う通信制御装置２１、及び、操作パネル２２が接続されている。
【００２３】
このような構成の画像処理装置１は、コピー、プリント、スキャン、ファクシミリの送受信などの各種処理を実行することができる。
【００２４】
制御プログラム１２は、当初からＲＯＭ１２に格納されていても良いが、制御プログラム１２を搬送波の形態でインターネット４などを介して画像処理装置１に送信し、この送信された制御プログラム１２を磁気記憶装置１８などにセットアップするようにしてもよい。あるいは、制御プログラム１２をＣＤ，ＤＶＤ，ＭＯなどの記憶媒体に格納した状態で提供し、これらの記憶媒体を読み取る読取装置によって読み取り、この読み取った制御プログラム１２を磁気記憶装置１８などにセットアップするようにしてもよい。
【００２５】
図２は、操作パネル２２の構成を示す説明図である。
【００２６】
操作パネル２２はタッチパネル方式の操作パネルであり、画像を表示する液晶パネル（ＬＣＤ）３１と、この液晶パネル上に設けられたタッチパネル３２と、液晶パネル３１及びタッチパネル３２を駆動する駆動回路３３とを備えている。
【００２７】
図３、図４は、液晶パネル３１の縦断面図である。
【００２８】
タッチパネル３２は、透明な上部フィルム４１と、透明な下部ガラス４２とが対向配置され、それぞれの対向面には透明導電物質であるＩＴＯ（インジウム錫酸化物）４３，４４が成膜されている。上部フィルム４１を指で押圧すると上部フィルム４１と下部ガラス４２とが接触し、通電する（図４参照）。下部ガラス４２上に設けられたドットスペーサ４５は環境などの外的要因による上部フィルム４１のたわみにより誤接触が起きるのを防止するために設けられている。
【００２９】
上部フィルム４１の図３の左右方向両端、下部ガラス４２の図３の上下方向両端には電極（図示せず）を設けている。上部フィルム４１側電極に電圧が印加されるとＩＴＯ４３の抵抗によって図３の左右方向に電位勾配ができ、上部フィルム４１と下部ガラス４２との接触点の電位を、下部ガラス４２側を通じて検出すると、分圧により押下点のＸ座標を検出することができる。同様に、下部ガラス４２電極に電圧を印加するとＩＴＯ４４の抵抗によって図３の上下方向に電位勾配ができ、上部フィルム４１と下部ガラス４２との接触点の電位を、上部フィルム４１側を通じて検出すると、分圧により押下点のＹ座標を検出することができる。
【００３０】
このようにして液晶パネル３１の押圧位置がわかれば液晶パネル３１に表示されている画像のどの部分が押圧されたのかを判断することができる。液晶パネル３１にはユーザに様々な情報を示す画像が表示されるので、これらの情報のどれが選択されたのかがわかる。
【００３１】
操作パネル２２のタッチパネル３２を押圧すると押圧位置のＸＹ座標を検出できるので、そのときに液晶パネル３１に表示されていた何れの情報に対して押圧がなされたのかわかる。これにより、液晶パネル３１に表示された何れの情報が選択されたのかを検出することができ、この何れの情報が選択されたのかを示す信号はＣＰＵ１１に出力され、ＣＰＵ１１は当該信号からどのような操作が実行されたのかを判断し、当該操作に応じた動作を画像処理装置１に行わせる。また、ＣＰＵ１１は当該信号に応じた情報を液晶パネル３１に表示する（表示画像を変更する）。
【００３２】
以下では、操作パネル２２をタッチパネル操作したときの液晶パネル３１に表示される画像の変動について具体的に説明する。
【００３３】
図５は、ある操作画面の表示例を示す平面図である。
【００３４】
液晶パネル３１に表示された画像はタッチパネル３２を通してユーザの目で視認することができる。図５はこのような画像が表示されるタッチパネル３２の画像表示領域３４を示している。
【００３５】
この例では、画像表示領域３４にユーザが選択できる第１の情報として、両面選択４１、濃度４２、カラーモード４３、倍率４４、Ｎアップ４５、原稿向き４６の６種類のボタンが表示されている。両面選択４１は両面印刷の操作を行うときに選択するボタンであり、カラーモード４３は印刷を白黒で行うかカラーで行うかなどを選択するボタンであり、倍率４４は印刷する画像の倍率の選択を行うためのボタンであり、Ｎアップ４５は複数の画像を１枚の用紙に集約して印刷するときに選択するボタンであり、原稿向き４６は印刷出力された用紙の向きを選択するためのボタンである。各ボタン上には文字により情報が表示されている。
【００３６】
図６に示すように、この例でユーザが両面選択４１を選択すると、両面選択４１の画像情報に関連付けられている第２の情報となるポップアップ画像５１が画像表示領域３４に表示される。このポップアップ画像５１は選択された両面選択４１における複数の選択肢を表示するものであり、この例では「片面→片面」５２、「片面→両面」５３、「両面→片面」５４、「両面→両面」５５がそれぞれ表示されている。「片面→片面」５２は原稿の片面原稿を用紙の片面に印刷することを選択し、「片面→両面」５３は原稿の片面原稿を用紙の両面に印刷することを選択し、「両面→片面」５４は原稿の両面原稿を用紙の片面に印刷することを選択し、「両面→両面」５５は原稿の両面原稿を用紙の両面に印刷することを選択するものである。このようにポップアップ画像５１で表示された「片面→片面」５２、「片面→両面」５３、「両面→片面」５４、「両面→両面」５５の何れかを選択することで、両面選択４１のいずれかの機能を選択することができる。なお、第２の情報はポップアップによる表示に限られるものではない。
【００３７】
図７は、この場合の画面表示のフローチャートである。
【００３８】
すなわち、ＣＰＵ１１は、両面選択４１のボタンが選択されると（ステップＳ１のＹ）、ポップアップ画像５１を含む新たな画像を画像表示領域３４に表示する（ステップＳ２）。
【００３９】
ステップＳ２における画像表示領域３４の表示画像は、図６に示すように、両面選択４１の右横にポップアップ画像５１を表示し、他のボタンである濃度４２、カラーモード４３、倍率４４、Ｎアップ４５、原稿向き４６の各ボタンについては、ポップアップ画像５１と重ならないように表示の態様（大きさ、形状、配置など）をポップアップ画像５１の表示前のものとは変えて表示している。また、設定したパラーメータや文字などが確認できるように表示を変更してもよい。
【００４０】
具体的には、図６の例では、濃度４２、カラーモード４３、倍率４４、Ｎアップ４５、原稿向き４６のボタンを、ポップアップ画像５１を表示する前の画像（図５）より小さく表示している。
【００４１】
また、図８の例では、カラーモード４３、倍率４４、Ｎアップ４５、原稿向き４６のボタンは形状と配置位置を変えているが、濃度４２のボタンは不変のままとしている。
【００４２】
このように、図６、図８のような表示を行えば、第１の情報となるボタン（両面選択４１、濃度４２、カラーモード４３、倍率４４、Ｎアップ４５、原稿向き４６）が表示されているときに、当該第１の情報を選択することにより当該情報に関連した第２の情報となるポップアップ画像５１を表示させても、第１の情報となるボタンの表示の態様を変更することにより、この第１の情報となるボタンが隠れて見えなくなってしまうことを防止することができる。
【００４３】
また、この場合に、図９に示すように両面選択４１のボタンの選択がなされて、ポップアップ画像５１を表示したときに、両面選択４１と関連があるボタン（図９の例では、原稿向き４６のボタン）については大きさや形状を元の画像のとおりに維持して、大きさを小さく表示している濃度４２、カラーモード４３、倍率４４、Ｎアップ４５より目立たせるようにしてもよい。ここで、両面選択４１が原稿向き４６と関連があるというのは、両面選択４１のボタンが操作された後には原稿向き４６のボタンが操作される可能性が高いという関連性があることである。
【００４４】
次に、図９のような表示を行う処理について説明する。
【００４５】
前述の両面選択４１のボタンと原稿向き４６のボタンとのような関連性については、図１０に示すような関連性テーブルに登録されている。すなわち、関連性テーブルの第１の選択に登録されたボタンとその右に表示されている第２の選択として登録されたボタンとは関連付けられている。第１の選択として登録されているボタンはユーザが選択するボタンであり、第２の選択として登録されているボタンは、当該第１の選択として登録されているボタンと関連性を有するものとして図９の例で大きさや形状を元の画像のとおりに維持して目立たせたボタンである。この例では１対１に対応付けられた関連性テーブルを用いているが、１対複数に対応付けるようにしてもよい。
【００４６】
図１１は、この場合の画面表示のフローチャートである。
【００４７】
すなわち、ＣＰＵ１１は、両面選択４１のボタンが選択されると（ステップＳ１１のＹ）、当該両面選択４１ボタンと関連付けられて関連性テーブルに第２の選択として登録されているボタンがあるか否かを判断し（ステップＳ１２）、ある場合は（ステップＳ１２のＹ）、第２の選択として登録されているボタンがある場合の画像を画像表示領域３４に表示し（図９がその表示例になる）（ステップＳ１３）、ない場合は（ステップＳ１２のＮ）、第２の選択として登録されているボタンがない場合の画像を画像表示領域３４に表示する（図６や図８がその表示例になる）（ステップＳ１４）。
【００４８】
図１１のような処理を行うことにより、第１の情報となるボタン（両面選択４１、濃度４２、カラーモード４３、倍率４４、Ｎアップ４５、原稿向き４６）が表示されているときに、当該第１の情報となるボタンを選択することにより当該情報に関連した第２の情報となるポップアップ画像５１を表示させても、第１の情報となるボタンについては元の表示の態様を維持して目立たせている。
【００４９】
図１２は、関連性テーブルへのデータ登録処理のフローチャートである。
【００５０】
関連性テーブルのデータ登録は図１２の処理によりユーザが行うことができる。このデータ登録は、タッチパネル３２の操作によりデータ登録処理画面（図示せず）を表示させ、このデータ登録処理画面の中で操作することにより行う。すなわち、ＣＰＵ１１は、データ登録処理画面において、両面選択４１、濃度４２、カラーモード４３、倍率４４、Ｎアップ４５、原稿向き４６の６種類のボタンの中から第１の選択となるボタンを選択し（ステップＳ２１のＹ）、次に、第２の選択となるボタンを選択して（ステップＳ２２のＹ）、確定ボタンを操作すると（ステップＳ２３のＹ）、第１の選択となるボタンとして選択したボタンと第２の選択となるボタンとして選択したボタンとを関連付けて関連性テーブルに登録する（ステップＳ２４）。
【００５１】
図１２の処理によれば、表示の態様が変更されないほうがよいとしてユーザが設定を行った第１の情報となるボタン（両面選択４１、濃度４２、カラーモード４３、倍率４４、Ｎアップ４５、又は原稿向き４６）については元の表示の態様を維持することができる。
【００５２】
また、関連性テーブルへのデータ登録処理は、ユーザがタッチパネル３２の操作により行うのではなく、画像処理装置１の内部処理として行ってもよい。次に、かかる処理について説明する。
【００５３】
まず、両面選択４１、濃度４２、カラーモード４３、倍率４４、Ｎアップ４５、原稿向き４６の６種類のボタンの操作について履歴を登録する履歴登録処理を行う。図１３は履歴登録処理のフローチャートである。
【００５４】
すなわち、ＣＰＵ１１は、これら６種類のボタンのいずれかが選択されたときに（ステップＳ３１のＹ）、その操作のときから予め定められた時間内にこれら６種類のボタンの他のいずれかが選択されたか否かを判断し（ステップＳ３２）、このような選択がなされたときは（ステップＳ３２のＹ）、画像処理装置１が認証した画像処理装置１の現在のユーザを判断する（ステップＳ３３）。
【００５５】
すなわち、このような内部処理を行う例では、画像処理装置１を使用するには、ユーザは予め認証を必要とする場合がある。この認証は画像処理装置１を使用するのに先立ってユーザが自己のＩＤとパスワードをタッチパネル３２の操作により入力し、入力したＩＤとパスワードの組み合わせが画像処理装置１の磁気記憶装置１８などに登録されていることを確認して行ってもよいし、指紋認証、手のひら認証などの生体認証を用いても良い。
【００５６】
このように、すでに認証されて画像処理装置１を使用している現在のユーザが誰であるか判断し（ステップＳ３３）、そのユーザのものとして登録されている（例えば当該ユーザのＩＤと関連付けられている）、ステップＳ３１で選択したボタンを第１の選択とし、ステップＳ３２で選択したボタンを第２の選択として、図１４に例示するような履歴登録テーブルに時刻情報とともに登録する（ステップＳ３４）。これにより、ユーザごとに関連性テーブルの第１の選択となりうるボタンと第２の選択となりうるボタンとの組み合わせの履歴が記録されることになる。
【００５７】
このような各ユーザの履歴は、例えば定期的に集計される。図１５は、この集計処理のフローチャートである。
【００５８】
すなわち、ＣＰＵ１１は、前回の集計処理の実行から一定期間（例えば１週間）経過したときは（ステップＳ４１のＹ）、履歴登録テーブルが登録されている１名のユーザを指定し（ステップＳ４２）、当該ユーザの履歴登録テーブルに登録されている第１の選択となりうるボタンと第２の選択となりうるボタンとの組み合わせのうち、予め設定されている程度に高い頻度で出現するもの、ここでは、最も高い頻度で出現するものが何であるかを判定し（ステップＳ４３）、当該ユーザのＩＤと関連付けて登録されている関連性テーブルのデータを更新する（ステップＳ４４）。すなわち、この例では、ユーザごとに関連性テーブルが用意され、前述のようにユーザの認証がなされたときは当該認証されたユーザの関連性テーブルが参照されて図１１の処理が実行される。
【００５９】
以上の処理を全ユーザについて終了したときは（ステップＳ４５のＹ）、一連の処理を終了し、まだ処理されていないユーザがいるときは（ステップＳ４５のＮ）、ステップＳ４２に戻って当該ユーザについてステップＳ４２以下の処理を実行する。
【００６０】
図１３以下の処理によれば、ユーザが設定などを行わなくても、表示の態様が変更されないほうがよい第１の情報となるボタン（両面選択４１、濃度４２、カラーモード４３、倍率４４、Ｎアップ４５、又は原稿向き４６）については元の表示の態様を維持することができる。
【００６１】
なお、前述の図９の例では、両面選択４１に関連がある原稿向き４６のボタンについては、他のカラーモード４３などのボタンとは異なりボタンの画像の大きさや形状などの表示の態様を変えずに図５のとおりに維持しているが、表示の態様を変更した濃度４２、カラーモード４３、倍率４４、Ｎアップ４５の各ボタンとは異なるようにボタンの画像の大きさや形状などの表示の態様を変更してもよい。
【００６２】
図１６〜図１８は、この場合の具体例を示す平面図である。
【００６３】
図１６の表示例では、両面選択４１に関連がある原稿向き４６のボタンについては画像を大きく表示し、他の濃度４２、カラーモード４３、倍率４４、Ｎアップ４５の各ボタンは画像の形状を変えて小さく表示し、この両者の表示の態様を異なるようにしている。
【００６４】
図１７の表示例では、原稿向き４６のボタンについても、他の濃度４２、カラーモード４３、倍率４４、Ｎアップ４５の各ボタンと大きさ、形状を同じにしているが、ボタン上の文字の色を原稿向き４６のボタンと他の濃度４２、カラーモード４３、倍率４４、Ｎアップ４５のボタンとで異なるようにしている。原稿向き４６のボタンの文字色は両面選択４１と同じにしている。
【００６５】
図１８の表示例では、原稿向き４６のボタンについても、他の濃度４２、カラーモード４３、倍率４４、Ｎアップ４５の各ボタンと大きさ、形状を同じにしているが、ボタンそのものの色を原稿向き４６のボタンと他の濃度４２、カラーモード４３、倍率４４、Ｎアップ４５のボタンとで異なるようにしている。原稿向き４６のボタンの色は両面選択４１と同じにしている。
【００６６】
また、前述の例では本発明の処理装置を画像処理装置１として実施したが、本発明の処理装置はこれに限定されるものではなく、様々な処理を実行する電子機器に対して本発明を適用することができる。
【図面の簡単な説明】
【００６７】
【図１】本発明の一実施の形態である画像処理装置の電気的な接続のブロック図である。
【図２】操作パネルの構成を示す説明図である。
【図３】液晶パネルの縦断面図である。
【図４】液晶パネルの縦断面図である。
【図５】画像表示領域を示す平面図である。
【図６】画像表示領域を示す平面図である。
【図７】図６の例の画面表示のフローチャートである。
【図８】画像表示領域を示す平面図である。
【図９】画像表示領域を示す平面図である。
【図１０】関連性テーブルの説明図である。
【図１１】図９のような表示を行う処理について説明する
【図１２】関連性テーブルへのデータ登録処理のフローチャートである。
【図１３】履歴登録処理のフローチャートである。
【図１４】履歴登録テーブルの説明図である。
【図１５】集計処理のフローチャートである。
【図１６】画像表示領域を示す平面図である。
【図１７】画像表示領域を示す平面図である。
【図１８】画像表示領域を示す平面図である。
【符号の説明】
【００６８】
１    画像処理装置
２２  操作パネル
３１  液晶パネル
３２  タッチパネル
【図１】
2010079412.tif 000003
【図２】
2010079412.tif 000004
【図３】
2010079412.tif 000005
【図４】
2010079412.tif 000006
【図５】
2010079412.tif 000007
【図６】
2010079412.tif 000008
【図７】
2010079412.tif 000009
【図８】
2010079412.tif 000010
【図９】
2010079412.tif 000011
【図１０】
2010079412.tif 000012
【図１１】
2010079412.tif 000013
【図１２】
2010079412.tif 000014
【図１３】
2010079412.tif 000015
【図１４】
2010079412.tif 000016
【図１５】
2010079412.tif 000017
【図１６】
2010079412.tif 000018
【図１７】
2010079412.tif 000019
【図１８】
2010079412.tif 000020